【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
第１および第２の別々のブロック半部を供給し、夫々少なくとも１つの境界面を有し、前記境界面は、前記第１および第２のブロック半部がブロックに組立てられる時、互いに内部に向って向き合うものであり、
少なくとも３つの外面は前記第１の半部に形成され、
前記第１半部を形成し、前記第１の半部の前記外面に形成される前または後いずれかに形成され、前記第１のブロック半部の少なくとも１つの前記外面に形成され、少なくとも１つの凹部は前記境界面から前記第１のブロックの半部へ延び、前記第１のブロックの半部の少なくとも１つの前記外面に内部近傍し、
前記面を通して磁界の単一の極性にディレクトする各凹部の永久磁石を配置し、そして、
前記部品の前記第２の半部を、お互いに内側に向って向合う面に面する前記内部を有する前記ブロックの前記第１の半部に連結する
ことを含むことを特徴とする玩具ブロックの作成方法。
【請求項２】
前記第１および第２ブロックの部品に連結した後、前記外面を形成することをさらに含む、請求項１に記載の方法。
【請求項３】
前記連結は前記第１および第２のブロック部品とを共に接着することを含む、請求項１に記載の方法。
【請求項４】
同一の木片から前記第１および第２のブロックを切り出ししたもので前記連結は前記第１および第２のブロック半部の木目を合わせることをさらに含む、請求項１に記載の方法。
【請求項５】
前記配置することは、前記連結後に、外面の内部近傍のＮ極の総数がそれらに対応する外面の内部近傍のＳ極の総数と等しくなるような極性配向で、前記永久磁石を前記凹部に挿入することを含む、請求項１に記載の方法。
【請求項６】
前記内面から前記外面に近傍および平行に延びる凹部として各前記凹部を形成し、前記凹部にディスク型磁石を挿入することを含む凹面のそれぞれに磁石を配置する前記ステップを含み、少なくとも１つの凹部を形成するステップを含む請求項１に記載の方法。
【請求項７】
前記連結した中央の穴にスペーサーを挿入して、前記穴のそれぞれの端部に磁石を保持することをさらに含む、請求項６に記載の方法。
【請求項８】
前記永久磁石は、ＮｄＦｅＢ円筒形磁石を含む、請求項１に記載の方法。
【請求項９】
前記底面の外面は前記内面の反対にあり、前記底面の下方に向かう前記第１の形体ブロックの前記内面から延びた中央の穴を形成し、前記中央の穴は前記底面の外面に内部近傍および平行して終了し、前記底面の外面に平行な前記穴の前記終端にディスク型の磁石を配置し、少なくとも３つのサイド外面および少なくとも１つの底面の外面を形成することを含む請求項６に記載の方法。
【請求項１０】
前記第１および第２のブロック半部が連結するときに、前記第１ブロック半部に前記中央の穴を協調するように配置される前記第２のブロック半部に穴を形成し、
前記内面から前記上外面に向かい延びる前記第２ブロック半部の前記穴は、前記上外面に近傍、および平行に終了し、
ディスク型磁石を前記穴の前記終端に、前記上外面に近傍および平行に配置し、
前記第２のブロック半部の前記内面の反対、前記第２のブロック半部に上面を形成することを含む請求項９に記載の方法。
【請求項１１】
前記側面が形成される前または後いずれかに、前記第１および第２のブロック半部が連結される時、凹面は、前記第１のブロック半部にある前記凹面部それぞれと一致するように適応された前記第２のブロック半部に形成され、前記第２半部凹面のそれぞれは、前記第２半部の内面から第２のブロック半部へ、外側面に近傍、および平行に延び、前記第１のブロック半部の前記凹面は、前記磁石ディスクの直径１部品だけ適合する深さを有し、前記ディスクは部分的に露光され、前記第２半部が前記第１半部に連結される時、前記磁界ディスクの露光部上に座り、外側面は前記第２のブロック半部に形成される、請求項１０に記載の方法。
【請求項１２】
前記第１および第３の別々の形体ブロック半部はそれぞれ少なくとも１つの内面を有し、
前記第１および第２半部はブロックに組み立てられる時、前記内面は内部でお互いに向き合い、前記第１のブロック半部に外側面として前記外面を形成し、前記第２のブロック半部の前記内面の反対の前記第２のブロック半部に上面を形成し、前記内面から前記上外面に向かい延びる前記第２のブロック半部に穴を形成し、前記穴は前記上外面に近傍および平行に終了し、前記穴の前記終端に前記上外面と平行に配置され、
前記第３のブロック半部の前記内面の反対にある前記第３のブロック半部に底内面を形成し、前記内面から前記底外面に向って延びる前記第３のブロック半部に穴を形成し、前記穴は前記底外面に内部近傍および平行に終了し、前記底外面に平行な前記穴の前記終端にディスク型磁石を配置し、前記第１のブロック半部に連結するために第３の形体ブロック半部を供給することを含む、請求項第６に記載の方法。
【請求項１３】
形体材料の第１および第２の個々のシートを供給し、前記第１のシートは、複数の第１のブロック半部を切断できるのに十分に大きく、前記３つのサイドの少なくとも１つのポーションを定義し、前記第１および第２のシートがお互いに連結される時、上面を有する前記第１のシートは、前記第１および第２のブロック半部に形成される前記ブロックの内面を定義し、前記第２のシートは、複数の第２のブロック半部を切断できるのに十分に大きく、
上面を有する前記第２のシートは、形成される前記ブロックの上外面を定義し、そして反対の面は前記第１および第２のシートがお互いに組み立てられる時、複数のブロックの内面を形成し、
前記内面から前記第１のシートへ下方に延びる複数の間隔した凹面を前記第１のシートに形成し、少なくとも１つの凹面は前記第１シートから切断される各第１のブロック半部のために形成され、前記各凹面は近傍し、しかし内側に間隔をおき、前記内側面のひとつは切断される位置に形成され、
前記凹面の夫々に磁石を配置し、
前記第２のシートを、互いに内側に向き合う面を形成する内面を有する前記第１のシートに連結し、
前記混合した第１および第２のシートを複数のブロックに切断し、夫々は側面に面する少なくとも３つの外面を有し、それによって磁石を完全に包囲し隠すブロックを形成することを含む、玩具ブロックの製造方法。
【請求項１４】
前記第１のシートは、前記第１のブロック半部の前記底外面の輪郭を示す底面を有し、
前記第１のシートに複数の穴を形成し、ひとつは互に連結する時、前記第１および第２のシートから切断され、各前記穴は前記上面から前記シートへ下方に延び、そして前記第１のシートの前記から底面に近傍に、しかし間隔をあけて終結し、北又は南面におかれた前記穴の前記底に磁石を設置し、その北又は南の磁界は前記底面へ外側に突出することを含む請求項１３に記載の方法。
【請求項１５】
前記内面から前記第２のシートへ内側に延びる複数の間隔をおいた凹面を前記第２のシートに形成し、
少なくとも１つの凹面は前記第２のシートから切断される各第２ブロック部品のために形成され、
各前記凹面は近傍に、しかし内側へ間隔をおいて形成され、その位置に前記外面のひとつは切断され、前記第１および第２のシートが連結する時、前記第１のシートに対応する凹面と一致して位置し、
前記第２のシートに複数の穴、互いに連結するとき前記第１および第２のシートから切断される各ブロックの少なくとも１つを形成し、
前記内面から延びる前記各穴は前記第２のシートの面を形成し、そして前記第２のシートの前記上面に近傍にしかし間隔をおいて終結し、
北または南面を有する前記穴の前記底に磁石を位置し、そしてその北および南磁界は、前記第１および第２のシートを互に連結する前に、前記上面に内側にに向って突出することを含む請求項１４に記載の方法。
【請求項１６】
前記第１のシートの前記穴は、前記第１と第２のシートが互に連結する時に前記第２のシートに前記穴と強調して位置し、スペーサーを磁石を、それに位置する磁石と共にまたは後のいずれかに各第１シート挿入し、前記スペーサーは、前記第１と第２のシートが互いに連結する時各第２のシートの穴い延び、前記スペーサーは前記穴の個々の端子末に前記磁石を保持することを含む、請求項１４に記載の方法。
【請求項１７】
形体材料の第３のシートは、複数の第１ブロック半部を切断するのに十分に大きく、前記第３のシートは前記第１のシートの前記面と一致する内面を有し、前記第１のシートは前記第２と第３のシー一トの間に挟まれ、前記反対は前記連結された第１、第２および第３のシートから切断されるブロックの底面を定義する前記第３のシートのサイドを露出し、互に連結する時、前記第２のシートおよび第３のシートに複数の穴、ひとつは第１、第２および第３のシートから切断される各ブロックのために形成され、前記内面から延びる各前記穴は前記第２または第３のシートの面をそれぞれに形成し、前記第２のシートの上面および前記第３のシートの底面それぞれに近傍しかし間隔をおいて終結し、北又は南面と共に各前記穴の前記底に磁石を設置し、その北又は南の磁界は前記底面へ外側に突出することを含む請求項１３に記載の方法。
【請求項１８】
第１及び第２の個別形体ブロック部品を供給し、それぞれは少なくとも１つの内面を有し、前記第１および第２部品がブロックに組み立てらる時、前記内面はお互いに内側に向って面し、
前前記内面に反対の、前記第１半部に少なくとも１つの外面を供給し、
前記第１のブロック半部に形成し、前記第１半部の前記外面を供給する前または後いずれかに、少なくともひとつの穴は前記内面から前記第１のブロック半部に前記ブロック半部の前記内側に内側方向に延び、前記外面に近傍にそして平行に終結し、
ひとつの磁界の両極性を前記外面に向わせる前記ポケットに永久磁石を配置することを含む、玩具ブロックの形成方法。
【請求項１９】
第２の外面は前記第２のブロック半部の前記内面に反対の前記第２のブロック半部に形成され、
前記第２のブロック半部に穴を形成し、前記第１と第２のブロック半部が連結される時前記第１ブロック半部に前記中央穴と並ぶように配置し、
前記第２のブロック半部の前記穴は、前記内面から前記第２の外面に向って延び、前記穴は前記第２の外面に近傍そして平行に終結し、前記穴の前記終端にディスク型の磁石を前記第２の外面に平行に配置することを含む、請求項１８に記載の方法。
【請求項２０】
前記第１外面と前記第２外面に隣接した前記穴に配置するステップは、前記第１と第２外面に近く隣接して終結する終端を有する前記穴にひとつの長いディスク磁石を設置することによって遂行する、請求項１９に記載の方法。
【請求項２１】
第１と第２の形体部品は、それぞれ少なくともひとつの内面を有し、
前記第１半部は少なくとも３つの外面側を含み、
前記第１半部は、前記内面から前記第１半部へごく近傍かつ平行に、外面側のひとつから内側に間隔をおいて下方に延びる少なくともひとつのポケットを含み、
前記側へ、そして前記側から北または南磁界へ外側に突出するように適応した北および南面を有する前記ポケットに配置された磁石を含み、
前記ブロックの前記第２半部は互いに内側に向き合う面が面する前記内面を有する前記ブロックの前記第１半部と連結し、前記磁石を完全に包囲し隠すブロックを形成することを含む、玩具ブロック。
【請求項２２】
前記第１ブロックは、外部から面する底面をも有し、
穴は前記内面から前記第１部品に下方方向へ延び、そして前記外部から面する底面にごく近傍かつ平行に終結し、
磁石は、適応した北又は南面と共に前記穴の終端に位置し、その北又は南磁界は前記底面を外側に突出することを含む、請求項２１に記載の玩具ブロック。
【請求項２３】
第３の個別形体ブロックは、前記第１ブロック半部に連結し、前記第１と第３の個別形体ブロック半部は夫々少なくとも１つの内面を有し、前記第１および第３のブロック半部が連結される時前記内面はそれぞれお互いに面し、
前記第２と第３のブロック半部は、前記ブロックに上外面と底外面を有し、夫々は前記第２と前記第３のブロック半部に個々に位置し、
前記第２ブロック半部の穴は前記上外面に向って前記内面から延び、前記穴は前記上外面に内部近傍かつ平行に終結し、
ディスク型磁石は、前記上外面に平行の前記終端に位置し、
前記第３ブロック半部の穴は、前記内面から前記底外面に向って延び、前記穴は前記底外面に内部近傍かつ平行に終結し、
ディスク型磁石は、前記底外面に平行な前記穴の終端に位置することを含む、請求項２１に記載の玩具ブロック。